(57)【要約】      （修正有）【課題】窓の前面や窓と窓の間の空スペースを利用して使用する物干し竿ホルダーの提供。【解決手段】適宜長さで適宜角度で湾曲したブーメラン型の基盤（１）の両端部と中央部の３箇所にカーテンレールの端部及び市販の物干し竿が挿通可能な開口部（２）（３）（４）を設け、基盤の後部（湾曲の大きいほう）にストッパー部（５）を設け、更に、基盤の最下部先端に適宜長さの紐（６）で補助フック（７）を固着させる。上端部の開口部（２）にカーテンレールを挿通させた場合は、下端部の開口部（４）に物干し竿を挿通させ、又、中央部の開口部（３）にカーテンレールを挿通させた場合は、上端部の開口部（２）に物干し竿を挿通させて、自重及び物干し竿の重みで背部のストッパー（５）が壁面に圧接され、更には、基盤の最下部に設置した補助フックをカーテンレールに引っ掛けることにより固定し使用する。【選択図】図２
2006297047.tif 000002
【特許請求の範囲】
【請求項１】
カーテンレールを利用して市販の物干し竿を室内で使用できるようにした物干し竿ホルダー。
【請求項２】
折り畳み式にした請求項１の物干し竿ホルダー。
【発明の詳細な説明】
【発明の詳細な説明】
【技術分野】
【０００１】この発明は、本物件２個を１個ずつカーテンレールの両端部等に装着させて、更に、市販の物干し竿をこの相対する本物件に装着させて、窓の前面や窓と窓の間の空スペースを利用して使用する物干し竿ホルダーに関するものである。
【背景技術】
【０００２】従来は、室内で洗濯物を干す時、室内用物干しを利用するしかなかった。
【発明が解決しようとする課題】
【０００３】従来の室内用物干しでは、室内のスペースを大幅に取られてしまった。本物件は、窓の前方や窓と窓の間のスペースを利用して洗濯物を干すことができ、室内スペースを有効に利用することができるものである。
【課題を解決するための手段】
【０００４】Ａ．ブーメラン型カーテンレール取付型物干し竿ホルダー
（イ）本物件は、適宜長さで適宜角度で湾曲したブーメラン型の基盤（１）の両端部と中央部の３箇所にカーテンレールの端部及び市販の物干し竿が挿通可能な開口部（２）（３）（４）を設ける。
（ロ）基盤（１）の外周部の上端部から下端部まで、湾曲に沿って基盤（１）と直角に適宜幅のストッパー部（５）を設ける。
（ハ）基盤（１）の最下部先端に適宜長さの紐（６）を固着させ、この紐（６）の他方の端部に補助フック（７）を設ける。
利用方法は、次の２通りである。
ａ．Ａの方法１
（ニ）１つ目の本件物件のストッパー部を（５）を壁面に向け、基盤（１）の上端部の開口部（２）に一方のカーテンレールの端部を挿通させ、２つ目の本件物件も同様に他方のカーテンレールの端部に装着させる。
（ホ）この相対する２つの本件物件のそれぞれの基盤（１）の下端部の開口部（４）に市販の物干し竿を挿通させる。
（ヘ）これにより、自重及び物干し竿の重みによりストッパー部（５）が壁面に圧接される。
（ト）更に、補助フック（７）をカーテンレールの適宜場所に引っ掛け本件物件を固定する。
（チ）こうして固定してから、本物件に装着された物干し竿に洗濯物を掛けたハンガー等を吊るす。
ｂ．Ａの方法２
（ニ’）１つ目の本件物件のストッパー部を（５）を壁面に向け、基盤（１）の中央部の開口部（３）に一方のカーテンレールの端部を挿通させ、２つ目の本件物件も同様に他方のカーテンレールの端部に装着させる。
（ホ’）この相対する２つの本件物件のそれぞれの基盤（１）の上端部の開口部（２）に市販の物干し竿を挿通させる。
（ヘ’）これにより、自重及び物干し竿の重みによりストッパー部（５）が壁面に圧接される。
（ト’）こうして固定してから、本物件に装着された物干し竿に洗濯物を掛けたハンガー等を吊るす。
Ｂ．三つ折り型カーテンレール取付型物干し竿ホルダー
（チ）適宜長さのアーム部（１２）の上端部にカーテンレールが挿通可能な大きさのフック（１３）を設け、下端部側の接合部（１４）でアーム部（１５）の下端部と側面同士で回動可能に接合させる。
（リ）アーム部（１２）の下端部は適宜大きさの円形とし、その外周部には壁に圧接させる時の衝撃吸収用のクッション（１６）を貼付する。
（ヌ）アーム部（１５）の上端部にはバネ（１７）を内蔵し、更に、カーテンレールと物干し竿が挿通可能な洗濯バサミ型フック（１８）を設ける。
（ル）アーム部（１５）の長さは、接合部（１４）で回動させ折り畳んでアーム部（１２）に合わせた時、アーム部（１２）のフック（１３）とアーム部（１５）の洗濯バサミ型フック（１８）が同じ位置に来るようにする。
（ヲ）又、アーム部（１５）の下端部は適宜大きさの円形とし、その外周部には壁に圧接させる時の衝撃吸収用のクッション（１９）を貼付する。
（ワ）更に、アーム部（１５）の洗濯バサミ型フック（１８）の適宜下部の接合部（２０）で、適宜長さの（２１）の下端部と側面同士で回動可能に接合させる。
（カ）アーム部（２１）の上端部には、カーテンレールが挿通可能な大きさのフック（２２）を設ける。
（ヨ）使用時には、一つ目の本物件のアーム部（１２）のフック（１３）をカーテンレールの一方の端に掛け、アーム部（１５）を接合部（１４）で壁と反対側に回動させ、更に、アーム部（１２）を接合部（２０）で上方に回動させ、アーム部（２１）のフック（２２）をカーテンレールに掛け三角形の形を作る。二つ目の本物件も同様にカーテンレールの他方の端に掛ける。
（タ）この状態の相対する二つの本物件のそれぞれの洗濯バサミ型フック（１８）に物干し竿を挿通させる。
（レ）物干し竿の重みで、相対する二つの本物件のそれぞれのクッション（１６）（１９）が壁に圧接されて固定される。
（ソ）この状態で物干し竿に洗濯物を吊るして使用する。
Ｃ．二つ折り型カーテンレール取付型物干し竿ホルダー
（ツ）適宜長さのアーム部（２７）の上端部にカーテンレールが挿通可能な大きさのフック（２８）を設け、下端部側の接合部（２９）でアーム部（３０）の下端部と側面同士で回動可能に接合させる。
（ネ）アーム部（２７）の下端部は適宜大きさの円形とし、その外周部には壁に圧接させる時の衝撃吸収用のクッション（３１）を貼付する。
（ナ）アーム部（３０）の上端部にはバネ（３２）を内蔵し、更に、カーテンレールと物干し竿が挿通可能な洗濯バサミ型フック（３３）を設ける。
（ラ）アーム部（３０）の長さは、接合部（２９）で回動させ折り畳んでアーム部（２７）に合わせた時、アーム部（２７）のフック（２８）とアーム部（３０）の洗濯バサミ型フック（３３）が同じ位置に来るようにする。
（ム）又、アーム部（３０）の下端部は適宜大きさの円形とし、その外周部には壁に圧接させる時の衝撃吸収用のクッション（３４）を貼付する。
（ケ）アーム部（２７）とアーム部（３０）のそれぞれが向かい合っている側に折り畳み連結片（３５）の格納スペース（３６）（３７）を設ける。
（フ）折り畳み連結片（３５）は、折り畳んだ時にこの格納スペース（３６）（３７）内に格納可能で、更に、伸ばした時にはアーム部（２７）とアーム部（３０）が適宜角度になる長さとする。
（ノ）使用時には、一つ目の本物件のアーム部（２７）のフック（２８）をカーテンレールの一方の端に掛け、アーム部（３０）を接合部（２９）で壁と反対側に折り畳み連結片（３５）が伸びきるまで回動させる。
二つ目の本物件も同様にカーテンレールの他方の端に掛ける。
（オ）以降の使用方法は三つ折り型と同様で、折り畳む時は折り畳み連結片（３５）を折り畳みながら行なう。
【発明を実施するための最良の形態】
【０００５】  以下、本発明の実施の形態について説明する。
Ａ．ブーメラン型カーテンレール取付型物干し竿ホルダー
（イ）本物件は、適宜長さで適宜角度で湾曲したブーメラン型の基盤（１）の両端部と中央部の３箇所にカーテンレールの端部及び市販の物干し竿が挿通可能な開口部（２）（３）（４）を設ける。
（ロ）基盤（１）の外周部の上端部から下端部まで、湾曲に沿って基盤（１）と直角に適宜幅のストッパー部（５）を設ける。
（ハ）基盤（１）の最下部先端に適宜長さの紐（６）を固着させ、この紐（６）の他方の端部に補助フック（７）を設ける。
利用方法は、次の２通りである。
ａ．Ａの方法１
（ニ）１つ目の本件物件のストッパー部を（５）を壁面に向け、基盤（１）の上端部の開口部（２）に一方のカーテンレールの端部を挿通させ、２つ目の本件物件も同様に他方のカーテンレールの端部に装着させる。
（ホ）この相対する２つの本件物件のそれぞれの基盤（１）の下端部の開口部（４）に市販の物干し竿を挿通させる。
（ヘ）これにより、自重及び物干し竿の重みによりストッパー部（５）が壁面に圧接される。
（ト）更に、補助フック（７）をカーテンレールの適宜場所に引っ掛け本件物件を固定する。
（チ）こうして固定してから、本物件に装着された物干し竿に洗濯物を掛けたハンガー等を吊るす。
ｂ．Ａの方法２
（ニ’）１つ目の本件物件のストッパー部を（５）を壁面に向け、基盤（１）の中央部の開口部（３）に一方のカーテンレールの端部を挿通させ、２つ目の本件物件も同様に他方のカーテンレールの端部に装着させる。
（ホ’）この相対する２つの本件物件のそれぞれの基盤（１）の上端部の開口部（２）に市販の物干し竿を挿通させる。
（ヘ’）これにより、自重及び物干し竿の重みによりストッパー部（５）が壁面に圧接される。
（ト’）こうして固定してから、本物件に装着された物干し竿に洗濯物を掛けたハンガー等を吊るす。
Ｂ．三つ折り型カーテンレール取付型物干し竿ホルダー
（チ）適宜長さのアーム部（１２）の上端部にカーテンレールが挿通可能な大きさのフック（１３）を設け、下端部側の接合部（１４）でアーム部（１５）の下端部と側面同士で回動可能に接合させる。
（リ）アーム部（１２）の下端部は適宜大きさの円形とし、その外周部には壁に圧接させる時の衝撃吸収用のクッション（１６）を貼付する。
（ヌ）アーム部（１５）の上端部にはバネ（１７）を内蔵し、更に、カーテンレールと物干し竿が挿通可能な洗濯バサミ型フック（１８）を設ける。
（ル）アーム部（１５）の長さは、接合部（１４）で回動させ折り畳んでアーム部（１２）に合わせた時、アーム部（１２）のフック（１３）とアーム部（１５）の洗濯バサミ型フック（１８）が同じ位置に来るようにする。
（ヲ）又、アーム部（１５）の下端部は適宜大きさの円形とし、その外周部には壁に圧接させる時の衝撃吸収用のクッション（１９）を貼付する。
（ワ）更に、アーム部（１５）の洗濯バサミ型フック（１８）の適宜下部の接合部（２０）で、適宜長さの（２１）の下端部と側面同士で回動可能に接合させる。
（カ）アーム部（２１）の上端部には、カーテンレールが挿通可能な大きさのフック（２２）を設ける。
（ヨ）使用時には、一つ目の本物件のアーム部（１２）のフック（１３）をカーテンレールの一方の端に掛け、アーム部（１５）を接合部（１４）で壁と反対側に回動させ、更に、アーム部（１２）を接合部（２０）で上方に回動させ、アーム部（２１）のフック（２２）をカーテンレールに掛け三角形の形を作る。二つ目の本物件も同様にカーテンレールの他方の端に掛ける。
（タ）この状態の相対する二つの本物件のそれぞれの洗濯バサミ型フック（１８）に物干し竿を挿通させる。
（レ）物干し竿の重みで、相対する二つの本物件のそれぞれのクッション（１６）（１９）が壁に圧接されて固定される。
（ソ）この状態で物干し竿に洗濯物を吊るして使用する。
Ｃ．二つ折り型カーテンレール取付型物干し竿ホルダー
（ツ）適宜長さのアーム部（２７）の上端部にカーテンレールが挿通可能な大きさのフック（２８）を設け、下端部側の接合部（２９）でアーム部（３０）の下端部と側面同士で回動可能に接合させる。
（ネ）アーム部（２７）の下端部は適宜大きさの円形とし、その外周部には壁に圧接させる時の衝撃吸収用のクッション（３１）を貼付する。
（ナ）アーム部（３０）の上端部にはバネ（３２）を内蔵し、更に、カーテンレールと物干し竿が挿通可能な洗濯バサミ型フック（３３）を設ける。
（ラ）アーム部（３０）の長さは、接合部（２９）で回動させ折り畳んでアーム部（２７）に合わせた時、アーム部（２７）のフック（２８）とアーム部（３０）の洗濯バサミ型フック（３３）が同じ位置に来るようにする。
（ム）又、アーム部（３０）の下端部は適宜大きさの円形とし、その外周部には壁に圧接させる時の衝撃吸収用のクッション（３４）を貼付する。
（ケ）アーム部（２７）とアーム部（３０）のそれぞれが向かい合っている側に折り畳み連結片（３５）の格納スペース（３６）（３７）を設ける。
（フ）折り畳み連結片（３５）は、折り畳んだ時にこの格納スペース（３６）（３７）内に格納可能で、更に、伸ばした時にはアーム部（２７）とアーム部（３０）が適宜角度になる長さとする。
（ノ）使用時には、一つ目の本物件のアーム部（２７）のフック（２８）をカーテンレールの一方の端に掛け、アーム部（３０）を接合部（２９）で壁と反対側に折り畳み連結片（３５）が伸びきるまで回動させる。
二つ目の本物件も同様にカーテンレールの他方の端に掛ける。
（オ）以降の使用方法は三つ折り型と同様で、折り畳む時は折り畳み連結片（３５）を折り畳みながら行なう。
【発明の効果】
【０００６】本発明により、室内で窓の前方や窓と窓の間のスペースを利用して洗濯物を干すことができる。
【図面の簡単な説明】
【図１】ブーメラン型カーテンレール取付型物干し竿ホルダーの斜視図である。
【図２】ブーメラン型カーテンレール取付型物干し竿ホルダーを方法１の方法で使用した時の本物件をクローズアップした時の斜視図である。
【図３】ブーメラン型カーテンレール取付型物干し竿ホルダーを方法２の方法で使用した時の本物件をクローズアップした時の斜視図である。
【図４】ブーメラン型カーテンレール取付型物干し竿ホルダーを方法１の方法で使用した時の全体の正面からの透視図である。
【図５】ブーメラン型カーテンレール取付型物干し竿ホルダーを方法１の方法で使用した時の側面図である。
【図６】ブーメラン型カーテンレール取付型物干し竿ホルダーを方法２の方法で使用した時の側面図である。
【図７】三つ折り型カーテンレール取付型物干し竿ホルダーの使用時の斜視図である。
【図８】三つ折り型カーテンレール取付型物干し竿ホルダーを折り畳み始めた時の斜視図である。
【図９】三つ折り型カーテンレール取付型物干し竿ホルダーを折り畳んだ時の斜視図である。
【図１０】三つ折り型カーテンレール取付型物干し竿ホルダーを使用時の全体の正面図である。
【図１１】三つ折り型カーテンレール取付型物干し竿ホルダーの使用時の側面図である。
【図１２】二つ折り型カーテンレール取付型物干し竿ホルダーの使用時の斜視図である。
【図１３】二つ折り型カーテンレール取付型物干し竿ホルダーを折り畳み始めた時の斜視図である。
【図１４】二つ折り型カーテンレール取付型物干し竿ホルダーを折り畳んだ時の斜視図である。
【符号の説明】
１  基盤
２  上端部の開口部
３  中央部の開口部
４  下端部の開口部
５  ストッパー部
６  紐
７  補助フック
８  カーテンレール
９  物干し竿
１０  壁
１１  ハンガー
１２  アーム部
１３  フック
１４  接合部
１５  アーム部
１６  クッション
１７  バネ
１８  洗濯バサミ型フック
１９  クッション
２０  接合部
２１  アーム部
２２  フック
２３  カーテンレール
２４  物干し竿
２５  壁
２６  ハンガー
２７  アーム部
２８  フック
２９  接合部
３０  アーム部
３１  クッション
３２  バネ
３３  フック
３４  クッション
３５  折り畳み連結片
３６  格納スペース
３７  格納スペース
【図１】
2006297047.tif 000003
【図２】
2006297047.tif 000004
【図３】
2006297047.tif 000005
【図４】
2006297047.tif 000006
【図５】
2006297047.tif 000007
【図６】
2006297047.tif 000008
【図７】
2006297047.tif 000009
【図８】
2006297047.tif 000010
【図９】
2006297047.tif 000011
【図１０】
2006297047.tif 000012
【図１１】
2006297047.tif 000013
【図１２】
2006297047.tif 000014
【図１３】
2006297047.tif 000015
【図１４】
2006297047.tif 000016